(57)【特許請求の範囲】
【請求項１】
第一の壁面と、折り線Ｌ１を介して上記第一の壁面に連続する第二の壁面と、上記第一の壁面とは反対側に折り線Ｌ２を介して上記第二の壁面に連続する第三の壁面と、上記第二の壁面とは反対側に折り線Ｌ３を介して上記第三の壁面に連続する第四の壁面と、上記第三の壁面とは反対側に折り線Ｌ７を介して上記第四の壁面に連続する第一の折り込み面と、上記第四の壁面とは反対側に折り線Ｌ４を介して上記第一の折り込み面に連続する第二の折り込み面と、互いに平行な上記折り線Ｌ１〜Ｌ４及び上記折り線Ｌ７に直交する折り線Ｌ５を介して上記第一の壁面に連続する押さえ片と、上記押さえ片とは反対側に上記折り線Ｌ５と平行な折り線Ｌ６を介して上記第一の壁面に連続する爪片とを備えたシート部材からなり、
このシート部材を上記折り線Ｌ１〜Ｌ４及び上記折り線Ｌ７に沿って折り曲げて上記第一〜第四の壁面からなる四角筒を形成するとともに、上記第一の壁面及び上記第二の壁面の内側に上記第一の折り込み面及び上記第二の折り込み面を密着させて重ね、上記折り線Ｌ５に沿って折り曲げて上記押さえ片と上記第一の折り込み面とからなる景品収納空間を形成し、上記折り線Ｌ６に沿って折り曲げて上記爪片を上記押さえ片より内側に位置させたものであることを特徴とするボトル用の景品ホルダ。
【請求項２】
上記シート部材が、更に上記折り線Ｌ５の延長線上にある折り線Ｌ１０を介して上記第四の壁面に連続する四角形の天面と、上記第四の壁面とは反対側に折り線Ｌ１１を介して上記天面に連続する差し込み片とを備えてなり、上記折り線Ｌ１０及び上記折り線Ｌ１１に沿って折り曲げて上記差し込み片を上記第二の壁面と上記第二の折り込み面との間に挿入し上記四角筒に蓋をしたものである請求項１記載のボトル用の景品ホルダ。
【請求項３】
第一の壁面と、折り線Ｌ１を介して上記第一の壁面に連続する第二の壁面と、上記第一の壁面とは反対側に折り線Ｌ２を介して上記第二の壁面に連続する第三の壁面と、上記第二の壁面とは反対側に折り線Ｌ３を介して上記第三の壁面に連続する第一の折り込み面と、上記第三の壁面とは反対側に折り線Ｌ４を介して上記第一の折り込み面に連続する第二の折り込み面と、互いに平行な上記折り線Ｌ１〜Ｌ４に直交する折り線Ｌ５を介して上記第一の壁面に連続する押さえ片と、上記押さえ片とは反対側に上記折り線Ｌ５と平行な折り線Ｌ６を介して上記第一の壁面に連続する爪片とを備えたシート部材からなり、
このシート部材を上記折り線Ｌ１〜Ｌ４に沿って折り曲げて上記第一〜第三の壁面からなる三角筒を形成するとともに、上記第一の壁面及び上記第二の壁面の内側に上記第一の折り込み面及び上記第二の折り込み面を密着させて重ね、上記折り線Ｌ５に沿って折り曲げて上記押さえ片と上記第一の折り込み面とからなる景品収納空間を形成し、上記折り線Ｌ６に沿って折り曲げて上記爪片を上記押さえ片より内側に位置させたものであることを特徴とするボトル用の景品ホルダ。
【請求項４】
上記シート部材が、更に上記折り線Ｌ５の延長線上にある折り線Ｌ８を介して上記第三の壁面に連続する三角形の天面と、押さえ片側の折り線Ｌ９を介して上記天面に連続する差し込み片とを備えてなり、上記折り線Ｌ８及び上記折り線Ｌ９に沿って折り曲げて上記差し込み片を上記第二の壁面と上記第二の折り込み面との間に挿入し上記三角筒に蓋をしたものである請求項３記載のボトル用の景品ホルダ。
【請求項５】
上記シート部材が、更に上記折り線Ｌ５の延長線上にある折り線Ｌ１２を介して上記第二の折り込み面に連続するガイド片を備えてなり、上記折り線Ｌ１２に沿って折り曲げて上記ガイド片を上記天面の下に位置させたものである請求項２又請求項４のいずれかに記載のボトル用の景品ホルダ。
【発明の詳細な説明】
【０００１】
【発明の属する技術分野】
本発明は、販売促進用の景品やサンプル等をボトルの首部に保持すると共に、宣伝等を表示するボトル用の景品ホルダに関する。
【０００２】
【従来の技術】
従来より、水、ジュース、ドリンク剤などのボトル飲料や、酢など調味料の販売に際し、景品ホルダをボトルに取り付けて店頭に陳列することがある。このような景品ホルダとしては、景品を収納し宣伝用のデザインを施したビニール袋の上部に首掛板を連設し、この首掛板にボトルの貫通孔を穿設したボトルの首部に掛けるタイプのものが、店頭でよく見かけられる。
【０００３】
しかし、この首部掛けタイプの景品ホルダでは、膨らんだ収納袋がボトルの外周に沿って垂れ下がるため、多数のボトルを縦横に隙間なく並べることができず、工場出荷時の梱包に際し、景品ホルダを予め装着しておくことができなかった。また、店頭での陳列中に景品ホルダがボトルから抜き取られることもあった。そこで、このような問題を解決する手段として、図２３及び図２４に示すように、ボトルＢの首部周囲に、頂壁２３の貫通孔２２と、周壁２１下縁の爪片２８とで位置決め保持される環状の景品ホルダＨを取り付け、両者の間に景品Ｐを収納可能な景品収納空間３０を形成してボトルＢ外周からの景品ホルダＨの突出を抑制するとともに、景品ホルダＨの下部に設けた爪片２８をボトルＢのキャップＣ下端又はキャップＣ下方のフランジＦに当接させてストッパとすることによりボトルからの景品ホルダの脱落や盗難が防止することが考え出されている。
【０００４】
上記のボトルＢ外周からの突出を抑制した景品ホルダＨは、図２５に示すような厚紙等から成るシート部材を組立てたものである。すなわち、シート部材は、横長帯状の周壁２１の上縁には、中央部に貫通孔２２を有する円環状の頂壁２３が頂繋線２４を介して連設されている。頂壁２３の先端部及び両側部には、貼着片２５が折目線２６を介して突設されている。周壁２１の下縁には、頂繋線２４を対称に挟んで一対の爪片２８が折目線２９を介して突設されている。周壁２７の一端は糊代部１１となっている。
【０００５】
また、貼着箇所を減らし、組み立てを容易にするため、前記した景品ホルダＨの変形例として、頂壁２３の両端部の貼着片２５を省略し、頂壁２３の先端側の斜辺から突出する係合突起と、周壁２１に穿設した係合孔との係合により、頂壁２３の没入を防止する形態のものある（図示せず）。
【０００６】
【発明が解決しようとする課題】
しかしながら、図２３〜２５に示した景品ホルダでは、周壁２７の一端の糊代部１１や頂壁２３の先端部及び両側部の貼着片２５において接着固定が必要であり、シート部材の組み立てが面倒であった。しかも、頂壁２３の形状が円環状であったり、貫通孔２２や複数の貼着片２５等があったりとしてシート部材の構成が複雑なため、金型コスト等が高くついた。
【０００７】
また、変化例のように頂壁２３の周壁２７への固定を係合突起と係合孔との係合で行なう場合でも、周壁２７の一端の糊代部１１が残っている。また、係合突起や係合孔を形成するためシート部材の構成がより複雑となる。
【０００８】
したがって、本発明は、上記のような欠点を解消し、低価格で、組み立てが容易であるボトル用の景品ホルダを提供することを目的とする。
【０００９】
【課題を解決するための手段】
本発明のボトル用の景品ホルダは、以上の目的を達成するために、第一の壁面と、折り線Ｌ１を介して上記第一の壁面に連続する第二の壁面と、上記第一の壁面とは反対側に折り線Ｌ２を介して上記第二の壁面に連続する第三の壁面と、上記第二の壁面とは反対側に折り線Ｌ３を介して上記第三の壁面に連続する第四の壁面と、上記第三の壁面とは反対側に折り線Ｌ７を介して上記第四の壁面に連続する第一の折り込み面と、上記第四の壁面とは反対側に折り線Ｌ４を介して上記第一の折り込み面に連続する第二の折り込み面と、互いに平行な上記折り線Ｌ１〜Ｌ４及び上記折り線Ｌ７に直交する折り線Ｌ５を介して上記第一の壁面に連続する押さえ片と、上記押さえ片とは反対側に上記折り線Ｌ５と平行な折り線Ｌ６を介して上記第一の壁面に連続する爪片とを備えたシート部材からなり、このシート部材を上記折り線Ｌ１〜Ｌ４及び上記折り線Ｌ７に沿って折り曲げて上記第一〜第四の壁面からなる四角筒を形成するとともに、上記第一の壁面及び上記第二の壁面の内側に上記第一の折り込み面及び上記第二の折り込み面を密着させて重ね、上記折り線Ｌ５に沿って折り曲げて上記押さえ片と上記第一の折り込み面とからなる景品収納空間を形成し、上記折り線Ｌ６に沿って折り曲げて上記爪片を上記押さえ片より内側に位置させたものであるように構成した。
【００１０】
また、上記構成において、上記シート部材が、更に上記折り線Ｌ５の延長線上にある折り線Ｌ１０を介して上記第四の壁面に連続する四角形の天面と、上記第四の壁面とは反対側に折り線Ｌ１１を介して上記天面に連続する差し込み片とを備えてなり、上記折り線Ｌ１０及び上記折り線Ｌ１１に沿って折り曲げて上記差し込み片を上記第二の壁面と上記第二の折り込み面との間に挿入し上記四角筒に蓋をしたものであるように構成してもよい。
【００１１】
また、本発明のボトル用の景品ホルダは、第一の壁面と、折り線Ｌ１を介して上記第一の壁面に連続する第二の壁面と、上記第一の壁面とは反対側に折り線Ｌ２を介して上記第二の壁面に連続する第三の壁面と、上記第二の壁面とは反対側に折り線Ｌ３を介して上記第三の壁面に連続する第一の折り込み面と、上記第三の壁面とは反対側に折り線Ｌ４を介して上記第一の折り込み面に連続する第二の折り込み面と、互いに平行な上記折り線Ｌ１〜Ｌ４に直交する折り線Ｌ５を介して上記第一の壁面に連続する押さえ片と、上記押さえ片とは反対側に上記折り線Ｌ５と平行な折り線Ｌ６を介して上記第一の壁面に連続する爪片とを備えたシート部材からなり、このシート部材を上記折り線Ｌ１〜Ｌ４に沿って折り曲げて上記第一〜第三の壁面からなる三角筒を形成するとともに、上記第一の壁面及び上記第二の壁面の内側に上記第一の折り込み面及び上記第二の折り込み面を密着させて重ね、上記折り線Ｌ５に沿って折り曲げて上記押さえ片と上記第一の折り込み面とからなる景品収納空間を形成し、上記折り線Ｌ６に沿って折り曲げて上記爪片を上記押さえ片より内側に位置させたものであるように構成してもよい。
【００１２】
また、上記三角筒を形成する構成において、上記シート部材が、更に上記折り線Ｌ５の延長線上にある折り線Ｌ８を介して上記第三の壁面に連続する三角形の天面と、押さえ片側の折り線Ｌ９を介して上記天面に連続する差し込み片とを備えてなり、上記折り線Ｌ８及び上記折り線Ｌ９に沿って折り曲げて上記差し込み片を上記第二の壁面と上記第二の折り込み面との間に挿入し上記三角筒に蓋をしたものであるように構成してもよい。
【００１３】
また、上記蓋をする各構成において、上記シート部材が、更に上記折り線Ｌ５の延長線上にある折り線Ｌ１２を介して上記第二の折り込み面に連続するガイド片を備えてなり、上記折り線Ｌ１２に沿って折り曲げて上記ガイド片を上記天面の下に位置させたものであるように構成してもよい。
【００１４】
【発明の実施の形態】
以下、図面を参照しながら本発明の実施の形態をさらに詳しく説明する。図１は本発明に係る景品ホルダの第一実施形態の一例を示す展開図、図２は第一実施形態の景品ホルダのボトルへの装着状態を示す斜視図、図３は第一実施形態の景品ホルダのボトルへの装着状態を示す上部拡大断面図、図４〜７は第一実施形態の景品ホルダの組立過程を示す斜視図、図８は本発明に係る景品ホルダの第二実施形態の一例を示す展開図、図９は第二実施形態の景品ホルダのボトルへの装着状態を示す上部拡大断面図、図１０〜１５は第二実施形態の景品ホルダの組立過程を示す斜視図、図１６は矩形以外の壁面形状の例を示す部分展開図、図１７は本発明に係る景品ホルダの第三実施形態の一例を示す展開図、図１８は第三実施形態の景品ホルダの組立過程を示す斜視図、図１９は第三実施形態の景品ホルダのボトルへの装着状態を示す上部拡大断面図、図２０は本発明に係る景品ホルダの第四実施形態の一例を示す展開図、図２１は第四実施形態の景品ホルダのボトルへの装着状態を示す上部拡大断面図、図２２は第四実施形態の景品ホルダの組立過程を示す斜視図である。図中、１は第一の壁面、２は第二の壁面、３は第三の壁面、４は第四の壁面、５は第一の折り込み面、６は第二の折り込み面、７は押さえ片、８は爪片、９は天面、１０は差し込み片、１１はガイド片、Ｌ１〜Ｌ１２は折り線、Ｂはボトル、Ｃはキャップ、Ｈは景品ホルダ、Ｐは景品をそれぞれ示す。
【００１５】
本実施例で用いる景品ホルダは、図１に示すプラスチックシート製のシート部材を組立てたものである。
【００１６】
上記シート部材は、折り線Ｌ１を介して第一の壁面１に第二の壁面２を連続させ、上記第一の壁面１とは反対側に折り線Ｌ２を介して上記第二の壁面２に第三の壁面３を連続させ、上記第二の壁面２とは反対側に折り線Ｌ３を介して上記第三の壁面３に第四の壁面４を連続させている。また、第一の壁面１〜第四の壁面４には、宣伝用のデザインを施すとよい。なお、図１においては第一の壁面１〜第四の壁面４の全てが同じ形状であるが、互いに平行な上記折り線Ｌ１〜Ｌ３に直交する方向の幅が第一の壁面１及び第三の壁面３と、第二の壁面２及び第四の壁面４とで異なるようにしてもよい。
【００１７】
さらに、上記第三の壁面３とは反対側に折り線Ｌ７を介して上記第四の壁面４に第一の折り込み面５を連続させ、上記第四の壁面４とは反対側に折り線Ｌ４を介して上記第一の折り込み面５に第二の折り込み面６を連続させている。
【００１８】
また、互いに平行な上記折り線Ｌ１〜Ｌ４及び上記折り線Ｌ７に直交する折り線Ｌ５を介して上記第一の壁面１に押さえ片７を連続させ、上記押さえ片７とは反対側に上記折り線Ｌ５と平行な折り線Ｌ６を介して上記第一の壁面１に爪片８を連続させている。プラスチックシートが透明で且つ景品Ｐが何か隠したい場合には、上記押さえ片７に隠蔽柄が施される。
【００１９】
このようなシート部材の折り線Ｌ１〜Ｌ７を全て谷折り又は山折りにすると、景品ホルダＨができる。上記のように形成した景品ホルダＨの景品収納空間３０内に景品Ｐを入れてから、ボトルＢに取り付けた状態が図２及び図３である。
【００２０】
この景品ホルダＨは、第一の壁面１〜第四の壁面４によって四角筒を形成する。そして、この四角筒の上記第一の壁面１及び上記第二の壁面２の内側に上記第一の折り込み面５及び上記第二の折り込み面６を密着させて重ねている（図４〜６参照）。景品ホルダＨのボトルＢへの装着時には、この四角筒内にボトルＢの首部が通される。ここで、図２に示すように上記四角筒の開口部をボトルＢの胴部水平断面の外接四辺形より小さくした場合、工場出荷時の梱包に際し、景品Ｐを収納した景品ホルダＨを予めボトルＢに装着しておいても、ボトルＢを多数隙間なく縦横に並べることができ、輸送効率が低下することがない。なお、上記四角筒の開口部は、ボトルＢの胴部水平断面の外接四辺形より多少大きくても、隣接するボトルＢ間に介在する段ボールの厚さにより景品ホルダＨ同士が干渉しない程度であれば問題ない。なお、図１のシート部材に基づく上記四角筒の開口部は正方形であるが、前記したように第一の壁面１及び第三の壁面３と、第二の壁面２及び第四の壁面４との幅を異ならせ、上記四角筒の開口部を長方形としてもよい。また、上記四角筒の第二の壁面２〜第四の壁面４については、施された宣伝用のデザインに応じて、上端辺や下端辺が直線でなくてもよい（図１６参照）。一方、上記第一の折り込み面５及び上記第二の折り込み面６は、景品ホルダＨの組立て及び形状保持を達成できればよく、上記第一の壁面１及び上記第二の壁面２と同じ形状である必要はない。
【００２１】
また、上記四角筒は、上記押さえ片７と上記第一の折り込み面５とからなる景品収納空間３０を形成し（図４、図７参照）、上記爪片８を上記押さえ片７より内側に位置させている（図４参照）。上記景品収納空間３０は、上記押さえ片７と上記第一の折り込み面５との間の距離が壁面の幅に比べて短い空間であるので、この中に配置される景品Ｐはキーホルダーやシール等の薄型のものになる。なお、景品ホルダＨのボトルＢへの装着後に上記押さえ片７が折り曲げ前の状態の戻ろうとしてもボトルＢのキャップＣ側面によって戻りを阻止されるので、上記景品収納空間３０の維持に貼り合せや係合は不要である。上記爪片８は、景品ホルダＨをボトルＢに対して持ち上げようとすると、その先端がボトルＢのキャップＣ下端又はキャップＣ下方のフランジに当接し、ボトルＢからの景品ホルダＨの抜け出しを阻止するので、景品ホルダＨの輸送時の脱落や、店頭での盗難が防止されると共に、景品Ｐを他のものにすり替えられる危険性も減少する。
【００２２】
また、上記四角筒の上記第一の壁面１及び上記第二の壁面２の内側に上記第一の折り込み面５及び上記第二の折り込み面６を密着させて重ねた状態で、押さえ片７及び爪片８を折ることにより、上記第一の折り込み面５と上記第二の折り込み面６が押さえ片７及び爪片８でロックされ、上記四角筒が保持される。したがって、糊による貼り合せが不要なので、シート部材の組み立てが容易である。しかも、係合突起や係合孔を形成する必要もないので、シート部材の構成が簡単となり製造コストが安くつく。
【００２３】
上記の景品ホルダＨのボトルＢへの装着は、上記押さえ片７と上記第一の折り込み面５とからなる景品収納空間３０内に景品等の景品Ｐを配置し、上記爪片８を上記押さえ片７より内側に重ねた状態でボトルＢに上方から被せることによって行なう。上記押さえ片７より内側に重ねられた上記爪片８は、その先端がボトルＢのキャップＣ下端又はキャップＣ下方のフランジを通過した時点でボトルＢ側に突出し、ボトルＢからの景品ホルダＨの抜け出しを阻止する。
【００２４】
次に、本発明の第二実施形態を図８〜図１５に基づいて説明する。なお、上述の第一実施形態の各部に対応する部分には、同一の符号を付して説明を省略する。
【００２５】
図示のように、この景品ホルダＨでは、上記シート部材が、更に上記折り線Ｌ５の延長線上にある折り線Ｌ１０を介して上記第四の壁面４に四角形の天面９を連続させ、上記第四の壁面４とは反対側に折り線Ｌ１１を介して上記天面９に差し込み片１０を連続させてなり（図８参照）、第一実施形態同様に、四角筒及び景品収納空間３０を形成した後（図１０〜図１３参照）、上記折り線Ｌ１０及び上記折り線Ｌ１１に沿って折り曲げて上記差し込み片１０を上記第二の壁面２と上記第二の折り込み面６との間に挿入し上記四角筒に蓋をしている（図９、図１４、図１５参照）。
【００２６】
第一実施形態のように筒状の景品ホルダＨの場合、ボトルＢに装着後、景品ホルダＨがボトルＢの首部下方にずれることがある。工場の製造ラインで景品ホルダＨ装着後のボトルＢを自動梱包する際など、ボトルＢの肩部に装置の一部を接触させることがあり、景品ホルダＨのずれが大きいと邪魔になる。第二実施形態のように景品ホルダＨを箱状にすると、ボトルＢに装着後に景品ホルダＨがボトルＢの首部下方に多少ずれても、すぐにボトルＢのキャップＣが蓋に当接し、それ以上景品ホルダＨが下方にずれることを阻止するので、上記問題は生じない。
【００２７】
なお、第二実施形態を説明する図８〜図１５では、シート部材が、更に上記折り線Ｌ５の延長線上にある折り線Ｌ１２を介して上記第二の折り込み面６にガイド片１１を連続させてなり、上記折り線Ｌ１２に沿って折り曲げて上記ガイド片１１を上記天面９の下に位置させている。第二実施形態において、このガイド片１１は省略してもよいが、ガイド片１１を設けることにより、次のような効果が得られる。すなわち、景品ホルダＨの組立て時に、上記差し込み片１０を上記第二の壁面２と上記第二の折り込み面６との間に挿入するのは上記第二の壁面２と上記第二の折り込み面６とが密着しているため結構難しいが、ガイド片１１を手で引っ張って上記第二の壁面２と上記第二の折り込み面６との間を広げてやれば上記差し込み片１０の挿入が容易になる。
【００２８】
次に、本発明の第三実施形態を図１７〜図１９に基づいて説明する。なお、上述の第一実施形態の各部に対応する部分には、同一の符号を付して説明を省略する。
【００２９】
図示のように、この景品ホルダＨでは、折り線Ｌ１を介して第一の壁面１に第二の壁面２を連続させ、上記第一の壁面１とは反対側に折り線Ｌ２を介して上記第二の壁面２に第三の壁面３を連続させ、上記第二の壁面２とは反対側に折り線Ｌ３を介して上記第三の壁面３に第一の折り込み面５を連続させ、上記第三の壁面３とは反対側に折り線Ｌ４を介して上記第一の折り込み面５に第二の折り込み面６を連続させ、互いに平行な上記折り線Ｌ１〜Ｌ４に直交する折り線Ｌ５を介して上記第一の壁面１に押さえ片７を連続させ、上記押さえ片７とは反対側に上記折り線Ｌ５と平行な折り線Ｌ６を介して上記第一の壁面１に爪片８を連続させたシート部材からなる（図１７参照）。
【００３０】
このようなシート部材の折り線Ｌ１〜Ｌ６を全て谷折り又は山折りにすると、景品ホルダＨができる。上記のように形成した景品ホルダＨの景品収納空間３０内に景品Ｐを入れてから、ボトルＢに取り付けた状態が図１８及び図１９である。
【００３１】
この景品ホルダＨは、第一の壁面１〜第三の壁面３によって三角筒を形成する。そして、この三角筒の上記第一の壁面１及び上記第二の壁面２の内側に上記第一の折り込み面５及び上記第二の折り込み面６を密着させて重ねている（図１８参照）。景品ホルダＨのボトルＢへの装着時には、この三角筒内にボトルＢの首部が通される。なお、図１７に基づく上記三角筒の開口部は正三角形であるが、これに限定されない。たとえば、開口部を二等辺三角形としてもよい。また、上記三角筒の第二の壁面２及び第三の壁面３については、施された宣伝用のデザインに応じて、上端辺や下端辺が直線でなくてもよい（図１６参照）。なお、第三実施形態の三角筒と第一実施形態の四角筒とを比較すると、ボトルＢから壁面までの距離が同じ場合、三角筒の方が四角筒より開口部の面積が大きくなる。したがって、景品ホルダＨの開口部をボトルＢの胴部水平断面の外接四辺形内に収めたい場合には、第一実施形態の四角筒の方が容易である。一方、製造コストの点から言えば、第三実施形態の三角筒の方が第一実施形態の四角筒と比べて壁面の数が少なくて済む分好ましい。
【００３２】
また、上記三角筒は、第一実施形態と同様に、上記押さえ片７と上記第一の折り込み面５とからなる景品収納空間３０を形成し（図１８、図１９参照）、上記爪片８を上記押さえ片７より内側に位置させている（図１９参照）。
【００３３】
また、上記三角筒の上記第一の壁面１及び上記第二の壁面２の内側に上記第一の折り込み面５及び上記第二の折り込み面６を密着させて重ねた状態で、押さえ片７及び爪片８を折ることにより、上記第一の折り込み面５と上記第二の折り込み面６が押さえ片７及び爪片８でロックされ、上記三角筒が保持される。
【００３４】
次に、本発明の第四実施形態を図２０〜図２２に基づいて説明する。なお、上述の第一実施形態〜第三実施形態の各部に対応する部分には、同一の符号を付して説明を省略する。
【００３５】
図示のように、この景品ホルダＨでは、上記シート部材が、更に上記折り線Ｌ５の延長線上にある折り線Ｌ８を介して上記第三の壁面３に三角形の天面９を連続させ、押さえ片７側の折り線Ｌ９を介して上記天面９に差し込み片１０を連続させてなり（図２０参照）、第三実施形態同様に、三角筒（図２１参照）及び景品収納空間３０を形成した後、上記折り線Ｌ８及び上記折り線Ｌ９に沿って折り曲げて上記差し込み片１０を上記第二の壁面２と上記第二の折り込み面６との間に挿入し上記三角筒に蓋をしている（図２２参照）。
【００３６】
この形態のように景品ホルダＨを箱状にすると、第二実施形態同様に、ボトルＢに装着後に景品ホルダＨがボトルＢの首部下方に多少ずれても、すぐにボトルＢのキャップＣが蓋に当接し、それ以上景品ホルダＨが下方にずれることを阻止することができる。
【００３７】
なお、第四実施形態を説明する図２０〜図２２では、シート部材が、更に上記折り線Ｌ５の延長線上にある折り線Ｌ１２を介して上記第二の折り込み面６にガイド片１１を連続させてなり、上記折り線Ｌ１２に沿って折り曲げて上記ガイド片１１を上記天面９の下に位置させている。第四実施形態において、このガイド片１１は省略してもよいが、ガイド片１１を設けることにより前記したように上記差し込み片１０の挿入が容易になる。
【００３８】
以上、本発明の第一〜第四実施形態について説明したが、これらの形態についてさらに構成を付加しても構わない。たとえば、上述の例では、いずれも爪片が１個のものを示したが、四角筒において第一の壁面１に対向する第三の壁面１についても爪片８を設けてもよい。その場合、ボトルＢへの係合応力が分散され、その折れ曲がりが防止されると共に、ボトルＢからの抜け止め効果も高まる。また、第二の折り込み面６に続けて第三、第四の折り込み面を付加することもできる。
【００３９】
また、上記説明においては、シート部材の材料として、プラスチックシートを用いたが厚紙を用いることもできる。ただ、景品ホルダＨを装着したボトルＢが店頭で販売される際には冷却されることが多いので、冷却されても皺がはいらないプラスチックシートを材料とするのがより好ましい。
【００４０】
なお、景品ホルダＨの開口部の形状として、上記した四角形、三角形に代えてそれら以外の多角形も本発明と同様の考え方でシート部材を設計すれば可能ではあるが、その場合には景品収納空間３０の大きさが小さすぎたり、また折り曲げ時に形が安定しにくいため組立てが面倒になったりという問題が生じるため、形状が四角形又は三角形の開口部で充分である。
【００４１】
【発明の効果】
本発明のボトル用の景品ホルダは、上記のような構成を有するので次のような効果を奏する。
【００４２】
すなわち、景品ホルダの組み立てがシート部材を折り曲げるだけであり、糊による貼り合せが不要なので、シート部材の組み立てが容易である。しかも、係合突起や係合孔を形成する必要もないので、シート部材の構成が簡単となり製造コストが安くつく。
【図面の簡単な説明】
【図１】本発明に係る景品ホルダの第一実施形態の一例を示す展開図である。
【図２】第一実施形態の景品ホルダのボトルへの装着状態を示す斜視図である。
【図３】第一実施形態の景品ホルダのボトルへの装着状態を示す上部拡大断面図である。
【図４】第一実施形態の景品ホルダの組立過程を示す斜視図である。
【図５】第一実施形態の景品ホルダの組立過程を示す斜視図である。
【図６】第一実施形態の景品ホルダの組立過程を示す斜視図である。
【図７】第一実施形態の景品ホルダの組立過程を示す斜視図である。
【図８】本発明に係る景品ホルダの第二実施形態の一例を示す展開図である。
【図９】第二実施形態の景品ホルダのボトルへの装着状態を示す上部拡大断面図である。
【図１０】第二実施形態の景品ホルダの組立過程を示す斜視図である。
【図１１】第二実施形態の景品ホルダの組立過程を示す斜視図である。
【図１２】第二実施形態の景品ホルダの組立過程を示す斜視図である。
【図１３】第二実施形態の景品ホルダの組立過程を示す斜視図である。
【図１４】第二実施形態の景品ホルダの組立過程を示す斜視図である。
【図１５】第二実施形態の景品ホルダの組立過程を示す斜視図である。
【図１６】矩形以外の壁面形状の例を示す部分展開図である。
【図１７】本発明に係る景品ホルダの第三実施形態の一例を示す展開図である。
【図１８】第三実施形態の景品ホルダの組立過程を示す斜視図である。
【図１９】第三実施形態の景品ホルダのボトルへの装着状態を示す上部拡大断面図である。
【図２０】本発明に係る景品ホルダの第四実施形態の一例を示す展開図である。
【図２１】第四実施形態の景品ホルダのボトルへの装着状態を示す上部拡大断面図である。
【図２２】第四実施形態の景品ホルダの組立過程を示す斜視図である。
【図２３】従来技術に係る景品ホルダのボトルへの装着状態を示す斜視図である。
【図２４】従来技術に係る景品ホルダのボトルへの装着状態を示す上部拡大断面図である。
【図２５】従来技術に係る景品ホルダの一例を示す展開図である。
【符号の説明】
１  第一の壁面
２  第二の壁面
３  第三の壁面
４  第四の壁面
５  第一の折り込み面
６  第二の折り込み面
７  押さえ片
８  爪片
９  天面
１０  差し込み片
１１  ガイド片
Ｌ１〜Ｌ１２  折り線
Ｂ  ボトル
Ｃ  キャップ
Ｆ  フランジ
Ｈ  景品ホルダ
Ｐ  景品
２１  周壁
２２  貫通孔
２３  頂壁
２４  頂繋線
２５  貼着片
２６  折目線
２７  糊代部
２８  爪片
２９  折目線
３０  景品収納空間
【図１】
0004695791.tif 000002
【図２】
0004695791.tif 000003
【図３】
0004695791.tif 000004
【図４】
0004695791.tif 000005
【図５】
0004695791.tif 000006
【図６】
0004695791.tif 000007
【図７】
0004695791.tif 000008
【図８】
0004695791.tif 000009
【図９】
0004695791.tif 000010
【図１０】
0004695791.tif 000011
【図１１】
0004695791.tif 000012
【図１２】
0004695791.tif 000013
【図１３】
0004695791.tif 000014
【図１４】
0004695791.tif 000015
【図１５】
0004695791.tif 000016
【図１６】
0004695791.tif 000017
【図１７】
0004695791.tif 000018
【図１８】
0004695791.tif 000019
【図１９】
0004695791.tif 000020
【図２０】
0004695791.tif 000021
【図２１】
0004695791.tif 000022
【図２２】
0004695791.tif 000023
【図２３】
0004695791.tif 000024
【図２４】
0004695791.tif 000025
【図２５】
0004695791.tif 000026